(57)【要約】【課題】ＰＥＴ画像データと合成されるＣＴ画像データ又はＭＲ画像データの生成を容易にする。【解決手段】コンソールにメディアがセットされると、コンソールは、メディアに記憶されているＰＥＴ画像データを読み出し（ステップＳ１１）、検査リストを表示し（ステップＳ１２）、検査リストの中から選択された検査に含まれる、診断対象のＰＥＴ画像データを特定する（ステップＳ１４）。そして、診断対象のＰＥＴ画像データの付帯情報、選択されたモダリティの検査種及びＡＥタイトルに基づいて、診断対象のＰＥＴ画像データと同一患者の同一部位をＣＴ撮影又はＭＲ撮影して得られる、合成対象のＣＴ画像データ又はＭＲ画像データを生成するための撮影条件を生成し（ステップＳ１６）、モダリティ（ＣＴ装置又はＭＲ装置）に送信する（ステップＳ１７）。【選択図】図５
2010029285.tif 000002
【特許請求の範囲】
【請求項１】
可搬型記憶媒体に記憶されているＰＥＴ撮影により得られたＰＥＴ画像データを読み出す読出手段と、
前記可搬型記憶媒体に記憶されているＰＥＴ画像データの中から診断対象のＰＥＴ画像データを選択するための操作手段と、
前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段と、
を備える撮影制御装置。
【請求項２】
前記制御手段は、前記診断対象のＰＥＴ画像データに付帯されている付帯情報に基づいて、前記撮影条件を生成する、
請求項１に記載の撮影制御装置。
【請求項３】
コンピュータを、
可搬型記憶媒体に記憶されているＰＥＴ撮影により得られたＰＥＴ画像データの中から診断対象のＰＥＴ画像データを選択するための操作手段、
前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、
として機能させるためのプログラム。
【請求項４】
前記制御手段は、前記診断対象のＰＥＴ画像データに付帯されている付帯情報に基づいて、前記撮影条件を生成する、
請求項３に記載のプログラム。
【発明の詳細な説明】
【技術分野】
【０００１】
本発明は、撮影制御装置及びプログラムに関する。
【背景技術】
【０００２】
近年、多くの医療機関において情報のデジタル化が図られている。例えば、ＣＲ（Computed Radiography）装置、ＣＴ（Computed Tomography）装置、ＭＲ（Magnetic Resonance）装置等の画像生成装置（モダリティ）において生成された医用画像の画像データには、画像データに関する付帯情報が付帯され、ＤＩＣＯＭ（Digital Imaging and Communications in Medicine）規格に則ったＤＩＣＯＭ画像データとして、画像サーバによって管理される。
【０００３】
また、癌細胞を早期に発見する目的で、ＰＥＴ（Positron Emission Tomography）装置による全身スクリーニングが普及しつつある。癌細胞は、正常な細胞と比較してブドウ糖の消費が多いため、ＰＥＴ装置によって細胞の代謝の様子を画像化することにより、癌細胞を検出することができる。ＰＥＴ画像のみでは、画像内の各位置が患者のどこに対応するかを特定することが困難であるため、組織の形状を表すＣＴ画像又はＭＲ画像と合成（フュージョン）することによって、癌細胞の正確な位置が把握可能となる。
【０００４】
現在、ＰＥＴ装置を備える施設は限られているため、外部の施設で撮影されたＰＥＴ画像がＣＤ−Ｒ等のメディア（可搬型記憶媒体）に記憶されて他施設に提供される場合もある。
【０００５】
これらのメディアには、ＩＨＥ（Integrating Healthcare Enterprise）及びＩＨＥ−Ｊ（Integrating Healthcare Enterprise - Japan）のＰＤＩ（Portable Data for Imaging）によって定められたデータ構造に則って、ＤＩＣＯＭ画像データが書き込まれるため、異なる医療施設間や、異なるベンダのシステム間において、当該ＤＩＣＯＭ画像データのデータ移送、データ参照が可能になっている。
【０００６】
また、モダリティに接続されたコンソールにおいて、モダリティによる撮影と並行して、画像サーバに対して患者の過去データの検索要求を行う医用画像診断システムが提案されている（特許文献１参照）。
【特許文献１】特開２０００−３１６８１４号公報
【発明の開示】
【発明が解決しようとする課題】
【０００７】
しかし、メディアを介してＰＥＴ画像が提供された医療施設において、このＰＥＴ画像と合成されるＣＴ画像又はＭＲ画像を撮影する場合には、ＰＥＴ画像の検査部位と同一の部位を検査対象としければならない。
【０００８】
また、ＣＴ装置又はＭＲ装置の撮影技師は、メディアに記憶されているＰＥＴ画像の付帯情報を参考にして、撮影条件（患者情報、検査種、検査部位等）を手入力する必要があり、煩雑な作業であった。
【０００９】
本発明は、上記の従来技術における問題に鑑みてなされたものであって、ＰＥＴ画像データと合成されるＣＴ画像データ又はＭＲ画像データの生成を容易にすることを課題とする。
【課題を解決するための手段】
【００１０】
上記課題を解決するために、請求項１に記載の撮影制御装置は、可搬型記憶媒体に記憶されているＰＥＴ撮影により得られたＰＥＴ画像データを読み出す読出手段と、前記可搬型記憶媒体に記憶されているＰＥＴ画像データの中から診断対象のＰＥＴ画像データを選択するための操作手段と、前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段と、を備える。
【００１１】
請求項２に記載の発明は、請求項１に記載の撮影制御装置において、前記制御手段は、前記診断対象のＰＥＴ画像データに付帯されている付帯情報に基づいて、前記撮影条件を生成する。
【００１２】
請求項３に記載の発明は、コンピュータを、可搬型記憶媒体に記憶されているＰＥＴ撮影により得られたＰＥＴ画像データの中から診断対象のＰＥＴ画像データを選択するための操作手段、前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、として機能させるためのプログラムである。
【００１３】
請求項４に記載の発明は、請求項３に記載のプログラムにおいて、前記制御手段は、前記診断対象のＰＥＴ画像データに付帯されている付帯情報に基づいて、前記撮影条件を生成する。
【発明の効果】
【００１４】
請求項１、３に記載の発明によれば、ＰＥＴ画像データと合成されるＣＴ画像データ又はＭＲ画像データの生成を容易にすることができる。
【００１５】
請求項２、４に記載の発明によれば、ＰＥＴ画像データに付帯されている付帯情報に基づいて撮影条件を生成するので、撮影条件を手入力する必要がなく、入力ミスを防止することができる。
【発明を実施するための最良の形態】
【００１６】
以下、図面を参照して、本発明の実施の形態について説明する。
【００１７】
［医用画像システムのシステム構成］
図１に、医用画像システム１のシステム構成を示す。図１に示すように、医用画像システム１は、Ａ病院内医用画像システム２とＢ病院内医用画像システム３とから構成されている。
【００１８】
Ａ病院内医用画像システム２は、Ａ病院内における医用画像システムである。Ａ病院内医用画像システム２は、ＲＩＳ（Radiological Information System：放射線情報システム）１０と、コンソール２０と、モダリティ３０と、画像ビューワ端末４０と、Ａ病院用画像サーバ５０と、図示しないその他の装置とから構成されており、モダリティ３０を除く各装置は通信ネットワークＮ１を介してデータ通信可能に接続されている。
【００１９】
ＲＩＳ１０は、Ａ病院の放射線科部門内における診療予約、診断結果のレポート、実績管理、材料在庫管理等の情報管理を行う。ＲＩＳ１０は、図示しない電子カルテシステムから受信した撮影オーダ情報をコンソール２０及びＡ病院用画像サーバ５０に送信する。
【００２０】
コンソール２０は、モダリティ３０を制御する撮影制御装置である。コンソール２０とモダリティ３０とは、専用のケーブルを介してデータ通信可能に接続されている。コンソール２０は、モダリティ３０を制御して患者の撮影を行わせ、モダリティ３０において生成された医用画像の画像データ（以下、医用画像データという。）に、ＤＩＣＯＭ規格に則って付帯情報を付帯させ、Ａ病院用画像サーバ５０に送信する。Ａ病院では、モダリティ３０としてＰＥＴ装置が備えられている。以下、ＰＥＴ撮影により得られる医用画像データをＰＥＴ画像データという。
【００２１】
付帯情報は、患者情報、検査情報、シリーズ情報及び画像情報を含む。患者情報は、患者ＩＤ、患者名（英字、カナ、漢字）、性別、生年月日、年齢、身長、体重等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名（検査種）、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００２２】
画像ビューワ端末４０は、高精細モニタを有し、当該高精細モニタに医用画像を表示する端末である。画像ビューワ端末４０は、読影医等のユーザによる操作に基づき、Ａ病院用画像サーバ５０に医用画像データの取得要求を送信し、当該取得要求に応じた医用画像データを取得する。そして、当該医用画像データに基づきモニタに医用画像を表示する。
【００２３】
Ａ病院用画像サーバ５０は、コンソール２０から送信されるＰＥＴ画像データ等の医用画像データ等を記憶し、管理する。Ａ病院用画像サーバ５０は、外部機器から医用画像データの取得要求を受信した場合、当該取得要求に応じた医用画像データを当該外部機器に送信する。
【００２４】
また、Ａ病院用画像サーバ５０は、ＩＨＥ及びＩＨＥ−ＪのＰＤＩによって定められたデータ構造に則って、ＣＤ−ＲやＤＶＤ−Ｒ等のメディアＭ（可搬型記憶媒体）に医用画像データ等を書き込む（ＥＸＰＯＲＴする）。
【００２５】
Ｂ病院内医用画像システム３は、Ｂ病院内における医用画像システムである。Ｂ病院内医用画像システム３は、ＲＩＳ６０と、コンソール７０と、モダリティ８０と、画像ビューワ端末９０と、Ｂ病院用画像サーバ１００と、図示しないその他の装置とから構成されており、モダリティ８０を除く各装置は通信ネットワークＮ２を介してデータ通信可能に接続されている。
【００２６】
ＲＩＳ６０は、Ｂ病院の放射線科部門内における診療予約、診断結果のレポート、実績管理、材料在庫管理等の情報管理を行う。ＲＩＳ６０は、図示しない電子カルテシステムから受信した撮影オーダ情報をコンソール７０及びＢ病院用画像サーバ１００に送信する。
【００２７】
コンソール７０は、モダリティ８０を制御する撮影制御装置である。コンソール７０とモダリティ８０とは、専用のケーブルを介してデータ通信可能に接続されている。コンソール７０は、モダリティ８０を制御して患者の撮影を行わせ、モダリティ８０において生成された医用画像データに、ＤＩＣＯＭ規格に則って付帯情報を付帯させ、Ｂ病院用画像サーバ１００に送信する。Ｂ病院では、モダリティ８０としてＣＴ装置、ＭＲ装置が備えられている。以下、ＣＴ撮影により得られる医用画像データをＣＴ画像データといい、ＭＲ撮影により得られる医用画像データをＭＲ画像データという。
【００２８】
画像ビューワ端末９０は、高精細モニタを有し、当該高精細モニタに医用画像を表示する端末である。画像ビューワ端末９０は、読影医等のユーザによる操作に基づき、Ｂ病院用画像サーバ１００に医用画像データの取得要求を送信し、当該取得要求に応じた医用画像データを取得する。そして、当該医用画像データに基づきモニタに医用画像を表示する。
【００２９】
Ｂ病院用画像サーバ１００は、コンソール７０から送信されるＣＴ画像データ又はＭＲ画像データ等の医用画像データ等を記憶し、管理する。Ｂ病院用画像サーバ１００は、外部機器から医用画像データの取得要求を受信した場合、当該取得要求に応じた医用画像データを当該外部機器に送信する。
【００３０】
［Ａ病院用画像サーバの機能的構成］
図２に、Ａ病院用画像サーバ５０の機能的構成を示す。図２に示すように、Ａ病院用画像サーバ５０は、制御部５１、操作部５２、表示部５３、通信部５４、ＲＯＭ（Read Only Memory）５５、記憶部５６、メディアドライブ５７を備えて構成され、各部はバス５８により接続されている。
【００３１】
制御部５１は、ＣＰＵ（Central Processing Unit）、ＲＡＭ（Random Access Memory）等から構成され、Ａ病院用画像サーバ５０の各部の処理動作を統括的に制御する。具体的には、ＣＰＵは、操作部５２から入力される操作信号又は通信部５４により受信される指示信号に応じて、ＲＯＭ５５に記憶されている各種処理プログラムを読み出し、ＲＡＭ内に形成されたワークエリアに展開し、当該プログラムとの協働により各種処理を行う。
【００３２】
操作部５２は、カーソルキー、文字入力キー、及び各種機能キー等を備えたキーボードと、マウス等のポインティングデバイスを備えて構成され、キーボードに対するキー操作やマウス操作により入力された操作信号を制御部５１に出力する。
【００３３】
表示部５３は、ＬＣＤ（Liquid Crystal Display）により構成され、制御部５１から入力される表示データに基づいて各種画面を表示する。
【００３４】
通信部５４は、ＬＡＮ（Local Area Network）アダプタ、ルータ、ＴＡ（Terminal Adapter）等を備え、通信ネットワークＮ１を介して接続されたＲＩＳ１０、コンソール２０、画像ビューワ端末４０等の外部機器との間でデータの送受信を行う。
【００３５】
ＲＯＭ５５は、不揮発性の半導体メモリ等により構成され、各種処理プログラム、当該プログラムの実行に必要なパラメータやファイル等を記憶している。
【００３６】
記憶部５６は、ハードディスク等から構成される記憶装置であり、コンソール２０から送信されるＰＥＴ画像データ等の医用画像データ等を記憶する。
【００３７】
メディアドライブ５７は、制御部５１からの制御信号に基づき、メディアＭに各種データを書き込む。また、メディアドライブ５７は、制御部５１からの制御信号に基づき、メディアＭに記憶されている各種データを読み出す。
【００３８】
制御部５１は、記憶部５６に記憶されている医用画像データを管理する。制御部５１は、通信部５４を介して、外部機器から医用画像データを受信すると、当該医用画像データを記憶部５６に記憶させ、データベースに登録して管理する。
【００３９】
制御部５１は、通信部５４を介して、外部機器から医用画像データの取得要求を受信すると、当該医用画像データの取得要求に応じた医用画像データを記憶部５６から読み出す。そして、制御部５１は、通信部５４を介して、当該読み出した医用画像データを外部機器に送信する。
【００４０】
制御部５１は、操作部５２からの操作信号等に基づいて、書き込み対象として選択されたＰＥＴ画像データを記憶部５６から読み出し、メディアドライブ５７を介してメディアＭに書き込む。
【００４１】
［Ｂ病院内のコンソールの機能的構成］
図３に、コンソール７０の機能的構成を示す。図３に示すように、コンソール７０は、制御部７１、操作部７２、表示部７３、通信部７４、ＲＯＭ７５、記憶部７６、通信Ｉ／Ｆ（InterFace）７７、メディアドライブ７８を備えて構成され、各部はバス７９により接続されている。
【００４２】
制御部７１は、ＣＰＵ、ＲＡＭ等から構成され、コンソール７０の各部の処理動作を統括的に制御する。具体的には、ＣＰＵは、操作部７２から入力される操作信号又は通信部７４により受信される指示信号に応じて、ＲＯＭ７５に記憶されている各種処理プログラムを読み出し、ＲＡＭ内に形成されたワークエリアに展開し、当該プログラムとの協働により各種処理を行う。
【００４３】
操作部７２は、カーソルキー、文字入力キー、及び各種機能キー等を備えたキーボードと、マウス等のポインティングデバイスを備えて構成され、キーボードに対するキー操作やマウス操作により入力された操作信号を制御部７１に出力する。例えば、操作部７２は、メディアＭに記憶されているＰＥＴ画像データの中から診断対象のＰＥＴ画像データを選択する際に用いられる。
【００４４】
表示部７３は、ＬＣＤにより構成され、制御部７１から入力される表示データに基づいて各種画面を表示する。
【００４５】
通信部７４は、ＬＡＮアダプタ、ルータ、ＴＡ等を備え、通信ネットワークＮ２を介して接続されたＲＩＳ６０、Ｂ病院用画像サーバ１００等の外部機器との間でデータの送受信を行う。
【００４６】
ＲＯＭ７５は、不揮発性の半導体メモリ等により構成され、各種処理プログラム、当該プログラムの実行に必要なパラメータやファイル等を記憶している。
【００４７】
記憶部７６は、ハードディスク等から構成される記憶装置であり、モダリティ８０において生成された医用画像データ（ＣＴ画像データ又はＭＲ画像データ）を一時的に記憶する。
【００４８】
通信Ｉ／Ｆ７７は、モダリティ８０との間でデータ通信を行うためのインターフェースである。
【００４９】
メディアドライブ７８は、制御部７１からの制御信号に基づき、メディアＭに記憶されている各種データを読み出す。
【００５０】
制御部７１は、メディアドライブ７８を介して、メディアＭからＰＥＴ画像データを読み出し、メディアＭに記憶されているＰＥＴ画像データの中から診断対象のＰＥＴ画像データを選択させる。そして、制御部７１は、診断対象のＰＥＴ画像データに付帯されている付帯情報に基づいて、診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件を、通信Ｉ／Ｆ７７を介してモダリティ８０（ＣＴ装置又はＭＲ装置）に送信する。
【００５１】
制御部７１は、診断対象のＰＥＴ画像データの付帯情報や、合成対象のＣＴ画像データ又はＭＲ画像データの撮影条件に基づいて、合成対象のＣＴ画像データ又はＭＲ画像データに関する付帯情報を生成する。制御部７１は、モダリティ８０において生成されたＣＴ画像データ又はＭＲ画像データに、ＤＩＣＯＭ規格に則って付帯情報を付帯させ、通信部７４を介してＢ病院用画像サーバ１００に送信する。
【００５２】
［Ａ病院用画像サーバの動作］
次に、動作を説明する。
図４は、Ａ病院用画像サーバ５０において実行される処理を示すフローチャートである。この処理は、Ａ病院において患者を撮影して得られたＰＥＴ画像データを、他の医療施設においても利用可能なように、メディアＭに記憶させる処理であり、Ａ病院用画像サーバ５０の制御部５１とＲＯＭ５５に記憶されているプログラムとの協働によるソフトウェア処理によって実現される。なお、本動作の前提として、データを書き込むためのメディアＭは、メディアドライブ５７にセットされている。
【００５３】
まず、制御部５１により、記憶部５６に記憶されている医用画像データのうちＰＥＴ画像データの付帯情報が読み出され、読み出された付帯情報に基づいて、ＰＥＴ画像データのリストが表示部５３に表示される。そして、ユーザの操作部５２からの操作により、記憶部５６に記憶されているＰＥＴ画像データの中から、メディアＭへの書き込み対象となるＰＥＴ画像データが選択される（ステップＳ１）。
【００５４】
次に、制御部５１により、選択されたＰＥＴ画像データが記憶部５６から読み出される。そして、制御部５１により、メディアドライブ５７が制御され、選択されたＰＥＴ画像データがメディアＭに書き込まれる（ステップＳ２）。
以上で、Ａ病院用画像サーバ５０における処理が終了する。
【００５５】
患者は、Ａ病院用画像サーバ５０においてＰＥＴ画像データが書き込まれたメディアＭを持ってＢ病院へ行く。
【００５６】
［Ｂ病院内のコンソールの動作］
図５は、コンソール７０において実行される処理を示すフローチャートである。この処理は、コンソール７０の制御部７１とＲＯＭ７５に記憶されているプログラムとの協働によるソフトウェア処理によって実現される。
【００５７】
まず、メディアドライブ７８に、Ａ病院用画像サーバ５０においてＰＥＴ画像データが書き込まれたメディアＭがセットされると、コンソール７０の制御部７１により、メディアＭがセットされたことが検知される。次に、制御部７１により、メディアドライブ７８を介して、メディアＭからＰＥＴ画像データが読み出される（ステップＳ１１）。
【００５８】
次に、制御部７１により、ＰＥＴ画像データの付帯情報に基づいて、検査リストが表示部７３に表示される（ステップＳ１２）。
【００５９】
図６に、表示部７３に表示される検査リスト画面７３１の表示例を示す。検査リスト画面７３１には、メディアＭに記憶されているＰＥＴ画像データの患者ＩＤ（メディアＭが作成されたＡ病院における患者ＩＤ）、患者名、検査日、検査種、部位等が表示される。
【００６０】
次に、ユーザの操作部７２からの操作により、検査リストの中から診断対象となる検査が選択される（ステップＳ１３）。そして、制御部７１により、選択された検査に含まれる、診断対象のＰＥＴ画像データが特定される（ステップＳ１４）。具体的には、制御部７１により、選択された検査に対応する検査インスタンスＵＩＤが付帯情報に含まれるＰＥＴ画像データが特定される。
【００６１】
次に、ユーザの操作部７２からの操作により、モダリティ８０が選択される（ステップＳ１５）。具体的には、操作部７２から検査種（ＣＴ、ＭＲ）、ＡＥタイトル等が入力されることにより、モダリティ８０が選択される。なお、コンソール７０に接続されているモダリティ８０が一つのみの場合には、モダリティ８０の検査種及びＡＥタイトルは予め設定されており、ステップＳ１５の処理は省略される。
【００６２】
次に、制御部７１により、診断対象のＰＥＴ画像データの付帯情報が読み出され、付帯情報、モダリティ８０の検査種及びＡＥタイトルに基づいて、診断対象のＰＥＴ画像データと同一患者の同一部位をＣＴ撮影又はＭＲ撮影して得られる、合成対象のＣＴ画像データ又はＭＲ画像データを生成するための撮影条件が生成される（ステップＳ１６）。
【００６３】
撮影条件には、患者名、性別、生年月日、検査種、ＡＥタイトル、検査部位、スライス厚、撮影長（患者における撮影開始位置から撮影終了位置までの距離）、撮影方向、管電流、管電圧等が含まれる。患者名、性別、生年月日は、診断対象のＰＥＴ画像データの付帯情報のうち患者情報から抽出される。検査種、ＡＥタイトルは、ステップＳ１５において選択されたモダリティ８０の検査種、ＡＥタイトルが用いられる。検査部位は、診断対象のＰＥＴ画像データの付帯情報のうちシリーズ情報から抽出される。スライス厚は、画像診断用ではないため、予め粗い固定値に設定されている。撮影長は、診断対象のＰＥＴ画像データの付帯情報のうち患者情報から抽出された年齢、性別、身長と、診断対象のＰＥＴ画像データの付帯情報のうちシリーズ情報から抽出された検査部位とに基づいて設定される。撮影方向は、「頭→足」又は「足→頭」のいずれかに予め設定されている。管電流、管電圧は、診断対象のＰＥＴ画像データの付帯情報のうち患者情報から抽出された体重に基づいて設定される。
【００６４】
図７（ａ）は、頭部を撮影して得られたＰＥＴ画像データの例である。図７（ｂ）は、図７（ａ）のＰＥＴ画像データと同一患者の同一部位をＣＴ撮影して得られるＣＴ画像データの例である。ステップＳ１６では、図７（ａ）に示すＰＥＴ画像データに対して、図７（ｂ）に示すようなＣＴ画像データ（又はＭＲ画像データ）を生成するための撮影条件が生成される。ＰＥＴ画像データとＣＴ画像データとを合成すると、図７（ｃ）に示すように、組織の形状を表示しつつ、細胞の代謝の様子を示すことができる。
【００６５】
図５に戻り、制御部７１により、生成された撮影条件が、ステップＳ１５において選択されたモダリティ８０（ＣＴ装置又はＭＲ装置）に、通信Ｉ／Ｆ７７を介して送信される（ステップＳ１７）。
【００６６】
モダリティ８０では、コンソール７０から受信した撮影条件に基づいて、患者の対象部位について撮影が行われ、ＣＴ画像データ又はＭＲ画像データが生成される。そして、生成されたＣＴ画像データ又はＭＲ画像データが、モダリティ８０からコンソール７０へ送信される。
【００６７】
コンソール７０において、通信Ｉ／Ｆ７７を介して、モダリティ８０からＣＴ画像データ又はＭＲ画像データが受信されると（ステップＳ１８；ＹＥＳ）、制御部７１により、診断対象のＰＥＴ画像データの付帯情報、及び、ステップＳ１６で生成した撮影条件に基づいて、ＣＴ画像データ又はＭＲ画像データの付帯情報が生成される。そして、制御部７１により、ＣＴ画像データ又はＭＲ画像データにＤＩＣＯＭ規格に則って付帯情報が付帯され、通信部７４を介してＢ病院用画像サーバ１００に送信される（ステップＳ１９）。
以上で、コンソール７０における処理が終了する。
【００６８】
Ｂ病院用画像サーバ１００では、コンソール７０から送信されたＣＴ画像データ又はＭＲ画像データが記憶される。Ｂ病院内医用画像システム３では、メディアＭに記憶されているＰＥＴ画像データと同一患者の同一部位を検査対象としたＣＴ画像データ又はＭＲ画像データをＢ病院用画像サーバ１００から取得することによって、ＰＥＴ画像データとＣＴ画像データ又はＭＲ画像データとを合成し、合成画像（フュージョン画像）を表示することができる。
【００６９】
以上説明したように、コンソール７０において、診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をモダリティ８０（ＣＴ装置又はＭＲ装置）に送信するので、診断対象のＰＥＴ画像データと合成されるＣＴ画像データ又はＭＲ画像データの生成を容易にすることができる。
【００７０】
また、診断対象のＰＥＴ画像データに付帯されている付帯情報に基づいて、撮影条件を生成することができる。すなわち、診断対象のＰＥＴ画像データの付帯情報から撮影条件に必要な情報を抽出するので、撮影条件を手入力する必要がなく、入力ミスを防止することができる。
【００７１】
なお、上記実施の形態における記述は、本発明に係る撮影制御装置及びプログラムの一例であり、これに限定されるものではない。コンソール７０を構成する各部の細部構成及び細部動作に関しても適宜変更可能である。
【００７２】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ等を適用することも可能である。また、プログラムのデータを通信回線を介して提供する媒体として、キャリアウェーブ（搬送波）を適用することとしてもよい。
【図面の簡単な説明】
【００７３】
【図１】医用画像システムのシステム構成図である。
【図２】Ａ病院用画像サーバの機能的構成を示すブロック図である。
【図３】Ｂ病院内のコンソールの機能的構成を示すブロック図である。
【図４】Ａ病院用画像サーバにおいて実行される処理を示すフローチャートである。
【図５】Ｂ病院内のコンソールにおいて実行される処理を示すフローチャートである。
【図６】コンソールに表示される検査リスト画面の表示例である。
【図７】（ａ）は、頭部を撮影して得られたＰＥＴ画像データの例である。（ｂ）は、図７（ａ）のＰＥＴ画像データと同一患者の同一部位をＣＴ撮影して得られるＣＴ画像データの例である。（ｃ）は、合成画像の例である。
【符号の説明】
【００７４】
１  医用画像システム
２  Ａ病院内医用画像システム
３  Ｂ病院内医用画像システム
１０  ＲＩＳ
２０  コンソール
３０  モダリティ
４０  画像ビューワ端末
５０  Ａ病院用画像サーバ
５１  制御部
５２  操作部
５３  表示部
５４  通信部
５５  ＲＯＭ
５６  記憶部
５７  メディアドライブ
５８  バス
６０  ＲＩＳ
７０  コンソール
７１  制御部
７２  操作部
７３  表示部
７３１  検査リスト画面
７４  通信部
７５  ＲＯＭ
７６  記憶部
７７  通信Ｉ／Ｆ
７８  メディアドライブ
７９  バス
８０  モダリティ
９０  画像ビューワ端末
１００  Ｂ病院用画像サーバ
Ｍ  メディア
Ｎ１  通信ネットワーク
Ｎ２  通信ネットワーク
【図１】
2010029285.tif 000003
【図２】
2010029285.tif 000004
【図３】
2010029285.tif 000005
【図４】
2010029285.tif 000006
【図５】
2010029285.tif 000007
【図６】
2010029285.tif 000008
【図７】
2010029285.tif 000009